(57)【要約】【課題】機能性を向上する。【解決手段】プリンタ２ａは、通信に関する設定が格納された無線設定格納部１２と、無線設定格納部１２に格納されている接続先を示す情報に基づき無線通信部３０に接続されプリンタ２ｂのＩＰアドレスへプリンタ２ａに設定されている設定値に基づくクローニング設定値ファイルを送信する無線通信部１０とを設け、プリンタ２ｂは、通信に関する設定が格納された無線設定格納部３２と、無線設定格納部３２に格納されているプリンタ２ａの接続先を示す情報に基づき無線通信部１０に接続し、プリンタ２ａからクローニング設定値ファイルを受信する無線通信部３０と、無線ネットワークＷＬＮにおける他の機器が使用していないＩＰアドレスをプリンタ２ｂのＩＰアドレスとして設定するＤＨＣＰサーバ／クライアント３６と、受信したクローニング設定値ファイルに基づきプリンタ２ｂの設定値を格納する設定値情報格納部３８とを設ける。【選択図】図５
2019093603.tif 000002
【特許請求の範囲】
【請求項１】
同じネットワークに属しているクローニング親機からクローニング子機へ、前記クローニング親機に設定されている設定値に基づくクローニング設定値ファイルを送信する設定値複製方法であって、
前記クローニング親機の接続先を示す情報に基づき前記クローニング子機から前記クローニング親機へ接続する接続ステップと、
前記ネットワークにおける他の機器が使用していないアドレスを前記クローニング子機のアドレスとして設定するアドレス設定ステップと、
前記クローニング子機のアドレスへ前記クローニング親機に設定されている設定値に基づくクローニング設定値ファイルを前記クローニング親機から送信する設定値ファイル送信ステップと、
受信した前記クローニング設定値ファイルに基づき前記クローニング子機の設定値を格納する設定値格納ステップと
を有する設定値複製方法。
【請求項２】
同じネットワークに属しているクローニング親機とクローニング子機とを有し、
前記クローニング親機は、
通信に関する設定が格納された親機通信設定格納部と、
前記親機通信設定格納部に格納されている、前記クローニング親機の接続先を示す情報に基づき子機接続通信部に接続される親機接続通信部と、
前記クローニング子機のアドレスへ前記クローニング親機に設定されている設定値に基づくクローニング設定値ファイルを送信する親機ファイル通信部と
を具え、
前記クローニング子機は、
通信に関する前記設定が格納された子機通信設定格納部と、
前記子機通信設定格納部に格納されている、前記クローニング親機の接続先を示す情報に基づき前記親機接続通信部に接続する子機接続通信部と、
前記ネットワークにおける他の機器が使用していないアドレスを前記クローニング子機のアドレスとして設定するアドレス設定部と、
前記クローニング親機から前記クローニング設定値ファイルを受信する子機ファイル通信部と、
受信した前記クローニング設定値ファイルに基づき前記クローニング子機の設定値を格納する設定値格納部と
を具える画像形成システム。
【請求項３】
前記ネットワークは無線ネットワークであり、
前記親機通信設定格納部は、前記クローニング親機のＳＳＩＤを格納し、
前記親機接続通信部は、前記親機通信設定格納部に格納された前記ＳＳＩＤに基づき無線アクセスポイントとして動作し、
前記子機通信設定格納部は、前記クローニング親機のＳＳＩＤを格納し、
前記子機接続通信部は、前記子機通信設定格納部に格納された前記ＳＳＩＤに基づき前記親機接続通信部に接続する
請求項２に記載の画像形成システム。
【請求項４】
前記子機ファイル通信部は、前記クローニング設定値ファイルを取得する要求を前記クローニング親機へ送信し、
前記親機ファイル通信部は、前記クローニング子機から前記クローニング設定値ファイルを取得する要求を受信すると、前記クローニング設定値ファイルを前記クローニング子機へ送信する
請求項２に記載の画像形成システム。
【請求項５】
前記クローニング親機は、
前記クローニング親機のＩＰアドレスを管理し、前記クローニング子機から前記ＩＰアドレスを取得する要求を受信した場合に前記クローニング子機へ前記ＩＰアドレスを割り当てる親機ＤＨＣＰサーバ／クライアント
をさらに具え、
前記クローニング子機は、
前記ＩＰアドレスを取得する要求を前記クローニング親機へ送信し前記クローニング子機のＩＰアドレスを確定する子機ＤＨＣＰサーバ／クライアント
をさらに具える
請求項２に記載の画像形成システム。
【請求項６】
前記クローニング子機は、
前記ネットワーク内において固有となる前記クローニング子機のＩＰアドレスをサーチし、前記クローニング子機のＩＰアドレスとして設定するＩＰアドレス設定部
をさらに具える
請求項２に記載の画像形成システム。
【請求項７】
前記ＩＰアドレス設定部は、所定の前記ＩＰアドレスの候補を前記クローニング親機へ問い合わせ、前記クローニング親機のＩＰアドレスと同一でないと応答された場合、前記ＩＰアドレスの候補を前記クローニング子機のＩＰアドレスとして設定する
請求項６に記載の画像形成システム。
【請求項８】
前記クローニング子機は、
前記クローニング設定値ファイルの設定に基づき印刷を行う印刷部
をさらに具える
請求項２に記載の画像形成システム。
【請求項９】
同じネットワークに属しており、クローニング親モードとして動作している画像形成装置であるクローニング親機から、クローニング子モードとして動作している画像形成装置であるクローニング子機へ、前記クローニング親機に設定されている設定値に基づくクローニング設定値ファイルを送信する画像形成装置であって、
前記クローニング親モードのときは、通信設定格納部に格納されている前記クローニング親機の接続先を示す情報に基づき前記クローニング子機に接続される一方、前記クローニング子モードのときは、前記通信設定格納部に格納されている前記クローニング親機の接続先を示す情報に基づき前記クローニング親機に接続する接続通信部と、
前記クローニング親モード及び前記クローニング子モードのとき、前記ネットワークにおける他の機器が使用していないアドレスを前記クローニング子機のアドレスとして設定するアドレス設定部と、
前記クローニング親モードのときは、前記クローニング子機のアドレスへ前記クローニング親機に設定されている設定値に基づくクローニング設定値ファイルを送信する一方、前記クローニング子モードのときは、前記クローニング親機から前記クローニング設定値ファイルを受信するファイル通信部と、
前記クローニング子モードのときは、受信した前記クローニング設定値ファイルに基づき前記クローニング子機の設定値を格納する設定値格納部と
を有する画像形成装置。
【発明の詳細な説明】
【技術分野】
【０００１】
本発明は設定値複製方法、画像形成システム及び画像形成装置に関し、一方の画像形成装置に設定されている設定値を他方の画像形成装置に設定するクローニングを行う画像形成システムに適用して好適なものである。
【背景技術】
【０００２】
従来、複数の装置毎のネットワークの設定（ＩＰ（Internet Protocol）アドレス、サブネットマスクやデフォルトゲートウェイ等）が事前になされており、同一のネットワークで通信できていることを前提として、設定元の装置に設定されている設定値を設定先の装置に設定する、クローニングを行う情報処理システムがあった（例えば、特許文献１参照）。
【先行技術文献】
【特許文献】
【０００３】
【特許文献１】特開２００６−２９３９７１号公報
【発明の概要】
【発明が解決しようとする課題】
【０００４】
しかしながらそのような情報処理システムでは、設定元の装置から設定先の装置へのクローニングを行う場合、設定先の装置と同じネットワークに予め接続された設定元の装置からクローニング設定値ファイルをコピーして、設定先の装置へ反映させるものがあるが、その場合、設定元の装置と設定先の装置とを一度ネットワークに接続し、お互いに通信可能な状態にする設定を行う手間がかかっていた。
【０００５】
本発明は以上の点を考慮してなされたもので、機能性を向上し得る情報処理方法、情報処理システム及び情報処理装置を提案しようとするものである。
【課題を解決するための手段】
【０００６】
かかる課題を解決するため本発明の設定値複製方法においては、同じネットワークに属しているクローニング親機からクローニング子機へ、クローニング親機に設定されている設定値に基づくクローニング設定値ファイルを送信する設定値複製方法であって、クローニング親機の接続先を示す情報に基づきクローニング子機からクローニング親機へ接続する接続ステップと、ネットワークにおける他の機器が使用していないアドレスをクローニング子機のアドレスとして設定するアドレス設定ステップと、クローニング子機のアドレスへクローニング親機に設定されている設定値に基づくクローニング設定値ファイルをクローニング親機から送信する設定値ファイル送信ステップと、受信したクローニング設定値ファイルに基づきクローニング子機の設定値を格納する設定値格納ステップとを設けるようにした。
【０００７】
また本発明の画像形成処理システムにおいては、同じネットワークに属しているクローニング親機とクローニング子機とを設け、クローニング親機は、通信に関する設定が格納された親機通信設定格納部と、親機通信設定格納部に格納されている、クローニング親機の接続先を示す情報に基づき子機接続通信部に接続される親機接続通信部と、クローニング子機のアドレスへクローニング親機に設定されている設定値に基づくクローニング設定値ファイルを送信する親機ファイル通信部とを有し、クローニング子機は、通信に関する設定が格納された子機通信設定格納部と、子機通信設定格納部に格納されている、クローニング親機の接続先を示す情報に基づき親機接続通信部に接続する子機接続通信部と、ネットワークにおける他の機器が使用していないアドレスをクローニング子機のアドレスとして設定するアドレス設定部と、クローニング親機からクローニング設定値ファイルを受信する子機ファイル通信部と、受信したクローニング設定値ファイルに基づきクローニング子機の設定値を格納する設定値格納部とを設けるようにした。
【０００８】
さらに本発明の画像形成装置においては、同じネットワークに属しており、クローニング親モードとして動作している画像形成装置であるクローニング親機から、クローニング子モードとして動作している画像形成装置であるクローニング子機へ、クローニング親機に設定されている設定値に基づくクローニング設定値ファイルを送信する画像形成装置であって、クローニング親モードのときは、通信設定格納部に格納されているクローニング親機の接続先を示す情報に基づきクローニング子機に接続される一方、クローニング子モードのときは、通信設定格納部に格納されているクローニング親機の接続先を示す情報に基づきクローニング親機に接続する接続通信部と、クローニング親モード及びクローニング子モードのとき、ネットワークにおける他の機器が使用していないアドレスをクローニング子機のアドレスとして設定するアドレス設定部と、クローニング親モードのときは、クローニング子機のアドレスへクローニング親機に設定されている設定値に基づくクローニング設定値ファイルを送信する一方、クローニング子モードのときは、クローニング親機からクローニング設定値ファイルを受信するファイル通信部と、クローニング子モードのときは、受信したクローニング設定値ファイルに基づきクローニング子機の設定値を格納する設定値格納部とを設けるようにした。
【０００９】
これにより本発明は、クローニング親機とクローニング子機とのネットワークの設定が事前に行われておらずクローニング親機とクローニング子機とが通信できていない状態からでも、ユーザーの簡易的な操作に基づきクローニング親機からクローニング子機へクローニングを行うことができ、ユーザーの手間を省くことができる。
【発明の効果】
【００１０】
本発明によれば、機能性を向上し得る設定値複製方法、画像形成システム及び画像形成装置を実現できる。
【図面の簡単な説明】
【００１１】
【図１】画像形成システムの構成を示す図である。
【図２】第１の実施の形態によるプリンタの構成を示すブロック図である。
【図３】プリンタ設定処理手順を示すフローチャートである。
【図４】第１の実施の形態によるクローニング親モード処理手順を示すフローチャートである。
【図５】第１の実施の形態によるクローニング子モード処理手順を示すフローチャートである。
【図６】クローニング親モード起動画面を示す図である。
【図７】クローニング親モード動作中画面を示す図である。
【図８】クローニング子モード起動画面を示す図である。
【図９】クローニング子モード動作中画面を示す図である。
【図１０】第２の実施の形態によるプリンタの構成を示すブロック図である。
【図１１】第２の実施の形態によるクローニング親モード処理手順を示すフローチャートである。
【図１２】第２の実施の形態によるクローニング子モード処理手順を示すフローチャートである。
【発明を実施するための形態】
【００１２】
以下、発明を実施するための形態（以下実施の形態とする）について、図面を用いて説明する。
【００１３】
［１．第１の実施の形態］
［１−１．画像形成システムの構成］
図１に示すように画像形成システム１は、互いに同様の構成であるプリンタ２ａ及びプリンタ２ｂにより構成されている。以下ではプリンタ２ａ及び２ｂをまとめてプリンタ２とも呼ぶ。また以下では、プリンタ２ａに設定されている設定値をプリンタ２ｂにも設定する、すなわちクローニングする場合について説明する。また、設定値をクローニングする設定元となるプリンタ２（本実施の形態においてはプリンタ２ａ）をクローニング親機とも呼び、設定値をクローニングする設定先となるプリンタ２（本実施の形態においてはプリンタ２ｂ）をクローニング子機とも呼ぶ。さらに、クローニング元となるプリンタ２ａの動作モードをクローニング親モードとし、クローニング先となるプリンタ２ｂの動作モードをクローニング子モードとする。
【００１４】
プリンタ２ａ及び２ｂは、Ｗｉ−Ｆｉ（登録商標）等の無線ＬＡＮ（Local Area Network）の無線ネットワークＷＬＮを介して互いに無線通信を行う。プリンタ２ａは、クローニング親モードで動作する際、簡易的な無線のアクセスポイントである簡易無線アクセスポイントとなり、プリンタ２ｂは、クローニング子モードで動作する際、無線ＬＡＮステーションとしてプリンタ２ａの簡易無線アクセスポイントに無線接続する。
【００１５】
［１−２．プリンタの構成］
プリンタ２ａとプリンタ２ｂとは同様の構成となっているため、以下ではプリンタ２ａについて主に説明する。図２に示すようにプリンタ２ａは、制御部１４が全体を統轄制御する。制御部１４は、マイクロプロセッサであるＣＰＵ（Central Processing Unit）を中心に構成されており、ＲＯＭ（Read Only Memory）、ＲＡＭ（Random Access Memory）、ハードディスクドライブやフラッシュメモリ等でなる記憶部（図示せず）から所定のプログラムを読み出して実行することにより、各部を制御し、上位装置から印刷データ及び制御コマンドを受信してプリンタ２ａの全体を制御し、設定値情報格納部１８に格納された設定値に基づき図示しない印刷部により印刷動作を行う。また制御部１４は、無線設定格納部１２から取得した無線通信用設定値を元に無線通信部１０を制御し、無線通信部１０を介してデータを送受信する。
【００１６】
親機通信部としての無線通信部１０は、例えば無線ＬＡＮボードであり、簡易無線アクセスポイントとして動作するか又は、該簡易無線アクセスポイントにクライアントとして接続する無線ＬＡＮステーションとして動作する。無線設定格納部１２は、クローニングが行われる場合にクローニング子機がクローニング親機に無線ＬＡＮで接続する際に用いられるクローニング親機のＳＳＩＤ（Service Set Identifier）であるクローニング用ＳＳＩＤ等、無線通信部１０を制御するために必要な無線通信用設定値を格納する。
【００１７】
ＤＨＣＰ（Dynamic Host Configuration Protocol）サーバ／クライアント１６は、無線通信部１０が簡易無線アクセスポイントとして動作している場合には、簡易無線アクセスポイントへ接続しに来たクローニング子機へＩＰアドレスを払い出すＤＨＣＰサーバとして機能する一方、無線通信部１０が無線ＬＡＮステーションとして動作している場合には、ＩＰアドレスを要求するＤＨＣＰクライアントとして機能する。
【００１８】
設定値情報格納部１８は、プリンタ２ａに設定されている印刷情報やシステム情報等の設定値を格納する。設定値ファイル処理部２０は、無線通信部１０が簡易無線アクセスポイントとして動作している場合には、設定値情報格納部１８に格納された設定値からクローニングのための設定値ファイルであるクローニング設定値ファイルを制御部１４からの指示により生成し設定値ファイル格納部２２へ格納する一方、無線通信部１０が無線ＬＡＮステーションとして動作している場合には、設定値ファイル格納部２２に格納されているクローニング設定値ファイルを設定値情報格納部１８へ反映させる。設定値ファイル格納部２２は、無線通信部１０が簡易無線アクセスポイントとして動作している場合には、設定値ファイル処理部２０により生成されたクローニング設定値ファイルを格納する一方、無線通信部１０が無線ＬＡＮステーションとして動作している場合には、無線通信部１０により受信したクローニング設定値ファイルを格納する。
【００１９】
表示部２４は、操作パネル等であり、プリンタ２ａの各種情報を表示すると共に、ユーザーからの入力操作を受け付け、情報の確認、設定や実行等を行わせる。
【００２０】
プリンタ２ｂはプリンタ２ａとは同一の構成であるため、その説明は省略する。具体的にプリンタ２ｂにおける子機通信部としての無線通信部３０、無線設定格納部３２、制御部３４、ＤＨＣＰサーバ／クライアント３６、設定値情報格納部３８、設定値ファイル処理部４０、設定値ファイル格納部４２及び表示部４４は、プリンタ２ａにおける無線通信部１０、無線設定格納部１２、制御部１４、ＤＨＣＰサーバ／クライアント１６、設定値情報格納部１８、設定値ファイル処理部２０、設定値ファイル格納部２２及び表示部２４と同様に構成されている。
【００２１】
［１−３．プリンタ設定処理手順］
次に、クローニング親機であるプリンタ２ａによるプリンタ設定処理の具体的な処理手順について、図３のフローチャートを用いて説明する。表示部２４へのユーザーの操作に基づきプリンタ２ａの設定値を設定するモードが起動されると制御部１４は、ＲＯＭからプリンタ設定処理プログラムを読み出して実行することによりプリンタ設定処理手順ＲＴ１を開始し、ステップＳＰ１へ移る。ステップＳＰ１において制御部１４は、表示部２４に対するユーザーの操作に基づき、プリンタ２ａの設定を行い、設定値を設定値情報格納部１８に格納し、ステップＳＰ２へ移りプリンタ設定処理手順ＲＴ１を終了する。
【００２２】
［１−４．クローニング親モード処理手順］
次に、設定値をクローニングする元となるプリンタ２ａによるクローニング親モード処理の具体的な処理手順について、図４のフローチャートを用いて説明する。表示部２４へのユーザーの操作に基づきクローニング親モードが起動されると制御部１４は、ＲＯＭからクローニング親モード処理プログラムを読み出して実行することによりクローニング親モード処理手順ＲＴ２を開始する。
【００２３】
ステップＳＰ１１において制御部１４は、図６に示すクローニング親モード起動画面ＳＣＳＳを表示部２４に表示することにより、プリンタ２ａをクローニングモードの親機として起動するか否かを選択することをユーザーに促す。クローニング親モード起動画面ＳＣＳＳには、ＹＥＳボタンＢＴＹ１とＮＯボタンＢＴＮ１とが表示されている。ユーザーは、プリンタ２ａをクローニングモードの親として起動する場合、クローニング親モード起動画面ＳＣＳＳにおいてＹＥＳボタンＢＴＹ１を押下する。クローニング親モード起動画面ＳＣＳＳにおいてＹＥＳボタンＢＴＹ１が押下されると、制御部１４は、クローニング親モードを開始し、ステップＳＰ１２へ移る。一方クローニング親モード起動画面ＳＣＳＳにおいてＮＯボタンＢＴＮ１が押下されると、制御部１４は、クローニング親モード処理手順ＲＴ２を終了する。
【００２４】
ステップＳＰ１２において制御部１４は、図７に示すクローニング親モード動作中画面ＳＣＳＯを表示部２４に表示することにより、プリンタ２ａをクローニングモードの親機として起動中であることをユーザーに認識させる。クローニング親モード動作中画面ＳＣＳＯには、終了ボタンＢＴＥが表示されている。ユーザーは、プリンタ２ａをクローニングモードの親機として動作させることを終了する場合、クローニング親モード動作中画面ＳＣＳＯにおいて終了ボタンＢＴＥを押下する。クローニング親モード動作中画面ＳＣＳＯにおいて終了ボタンＢＴＥが押下されると、制御部１４は、クローニング親モード処理手順ＲＴ２を終了する。
【００２５】
ステップＳＰ１３において制御部１４は、設定値情報格納部１８に格納された設定値に基づき設定値ファイル処理部２０によりクローニング設定値ファイルを生成して設定値ファイル格納部２２へ格納し、ステップＳＰ１４へ移る。ステップＳＰ１４において制御部１４は、ＤＨＣＰサーバ／クライアント１６のＤＨＣＰサーバを起動し、ステップＳＰ１５へ移る。ステップＳＰ１５において制御部１４は、無線設定格納部１２に格納されているクローニング用ＳＳＩＤ及びセキュリティ設定で無線通信部１０により無線ＬＡＮの簡易無線アクセスポイントを起動し、ステップＳＰ１６へ移る。
【００２６】
ステップＳＰ１６において制御部１４は、設定値をクローニングするためにプリンタ２ａに無線接続しているプリンタ２が存在するか否かを無線通信部１０により判定する。この他のプリンタ２は、クローニング子モードとなっている。ここで肯定結果が得られると、このことは、現在プリンタ２ａからクローニング設定値ファイルを送信する対象となるクローニング子機がプリンタ２ａの周囲に存在することを表し、このとき制御部１４はステップＳＰ１７へ移る。
【００２７】
ステップＳＰ１７において制御部１４は、クローニング子機からＩＰアドレス取得要求を受信するとクローニング子モードのプリンタ２（すなわちプリンタ２ｂ）に対してＤＨＣＰサーバ／クライアント１６によりＩＰアドレスを払い出し、ステップＳＰ１８へ移る。ステップＳＰ１８において制御部１４は、クローニング子モードのプリンタ２から設定値ファイル取得要求を受信するまで待機し、設定値ファイル取得要求を受信すると、ステップＳＰ１９へ移る。ステップＳＰ１９において制御部１４は、設定値ファイル格納部２２に格納されているクローニング設定値ファイルを要求元であるクローニング子モードのプリンタ２ｂ（すなわちクローニング子機）へ無線通信部１０により送信し、ステップＳＰ１６へ戻る。
【００２８】
一方ステップＳＰ１６において否定結果が得られると、このことは、現在プリンタ２ａからクローニング設定値ファイルを送信する対象となるクローニング子機はプリンタ２ａの周囲には存在しないことを表し、このとき制御部１４はステップＳＰ２０へ移る。
【００２９】
ステップＳＰ２０において制御部１４は、クローニング親モード動作中画面ＳＣＳＯにおいてユーザーにより終了ボタンＢＴＥが押下されたか否かを判定する。ここで肯定結果が得られると、このことはクローニング親モードを終了することをユーザーが望んでいることを表し、このとき制御部１４はクローニング親モード動作中画面ＳＣＳＯの表示を終了し、ステップＳＰ２１へ移る。
【００３０】
一方ステップＳＰ２０において否定結果が得られると、このことはクローニング親モードを続行することをユーザーが望んでいることを表し、このとき制御部１４はステップＳＰ１６へ戻り、プリンタ２ａに無線接続しているプリンタ２が存在するか否かを再度確認する。
【００３１】
ステップＳＰ２１において制御部１４は、無線ＬＡＮの簡易無線アクセスポイントを無線通信部１０により終了し、ステップＳＰ２２へ移る。ステップＳＰ２２において制御部１４は、ＤＨＣＰサーバ／クライアント１６のＤＨＣＰサーバを停止し、ステップＳＰ２３へ移る。ステップＳＰ２３において制御部１４は、設定値ファイル格納部２２に格納されているクローニング設定値ファイルを削除し、ステップＳＰ２４へ移る。ステップＳＰ２４において制御部１４は、クローニング親モードを終了し、ステップＳＰ２５へ移りクローニング親モード処理手順ＲＴ２を終了する。
【００３２】
このようにクローニング親機はであるプリンタ２ａは、クローニング用ＳＳＩＤで簡易無線アクセスポイントを起動し、該クローニング用ＳＳＩＤに無線接続したクローニング子機に対し、ＩＰアドレスを割り当て、該ＩＰアドレスへクローニング設定値ファイルを送信するようにした。
【００３３】
［１−５．クローニング子モード処理手順］
次に、設定値をクローニングする先となるプリンタ２ｂによるクローニング子モード処理の具体的な処理手順について、図５のフローチャートを用いて説明する。プリンタ２ｂの電源が投入されると制御部３４は、ＲＯＭからクローニング子モード処理プログラムを読み出して実行することによりクローニング子モード処理手順ＲＴ３を開始する。
【００３４】
ステップＳＰ３１において制御部３４は、無線通信部３０で周囲の電波をスキャンすることにより、無線設定格納部３２に格納されているクローニング用ＳＳＩＤで動作している無線アクセスポイントがプリンタ２ｂの周囲に存在するか否かを判定する。ここで肯定結果が得られると、このことは、現在クローニング設定値ファイルを送信してもらうクローニング親機がプリンタ２ｂの周囲に存在することを表し、このとき制御部３４はステップＳＰ３２へ移る。
【００３５】
ステップＳＰ３２において制御部３４は、設定値情報格納部３８に既に設定値が格納されていないか否かを判定する。ここで肯定結果が得られると、このことは設定値情報格納部３８に未だ設定値が格納されていないため、クローニング設定値ファイルを取得しても良いことを表し、このとき制御部３４はステップＳＰ３３へ移る。
【００３６】
ステップＳＰ３３において制御部３４は、図８に示すクローニング子モード起動画面ＳＣＤＳを表示部４４に表示することにより、クローニングを実行するか否かを選択することをユーザーに促す。クローニング子モード起動画面ＳＣＤＳには、ＹＥＳボタンＢＴＹ２とＮＯボタンＢＴＮ２とＮＯボタンＢＴＮ３とが表示されている。ユーザーは、クローニングを実行する場合、クローニング子モード起動画面ＳＣＤＳにおいてＹＥＳボタンＢＴＹ２を押下する。一方ユーザーは、クローニングを実行しない場合、クローニング子モード起動画面ＳＣＤＳにおいてＮＯボタンＢＴＮ２を押下する。また一方ユーザーは、クローニングを実行せず、さらにクローニング子モード起動画面ＳＣＤＳを今後表示させたくない場合、ＮＯボタンＢＴＮ３を押下する。クローニング子モード起動画面ＳＣＤＳにおいてＹＥＳボタンＢＴＹ２が押下されると、制御部３４は、クローニング子モードを開始し、ステップＳＰ３４へ移る。
【００３７】
ステップＳＰ３４において制御部３４は、図９に示すクローニング子モード動作中画面ＳＣＤＯを表示部４４に表示することにより、プリンタ２ｂをクローニングモードの子機として起動中であることをユーザーに認識させる。クローニング子モード動作中画面ＳＣＤＯには、中断ボタンＢＴＩが表示されている。ユーザーは、プリンタ２ｂをクローニングモードの子機として動作させることを中断する場合、すなわちクローニングを中断する場合、クローニング子モード動作中画面ＳＣＤＯにおいて中断ボタンＢＴＩを押下する。クローニング子モード動作中画面ＳＣＤＯにおいて中断ボタンＢＴＩが押下されると、制御部３４はクローニング子モード動作中画面ＳＣＤＯの表示を終了し、クローニング子モード処理手順ＲＴ３を終了する。
【００３８】
ステップＳＰ３５において制御部３４は、無線設定格納部３２に格納されているクローニング用ＳＳＩＤ及びセキュリティ設定で、クローニング親モードで動作しているプリンタ２ａ（すなわちクローニング親機）に無線通信部３０により無線ＬＡＮで接続を行い、ステップＳＰ３６へ移る。
【００３９】
ステップＳＰ３６において制御部３４は、ＩＰアドレスを取得する要求であるＩＰアドレス取得要求をＤＨＣＰサーバ／クライアント３６により無線通信部３０を介しプリンタ２ａへ送信してプリンタ２ｂのＩＰアドレスを確定し、ステップＳＰ３７へ移る。ステップＳＰ３７において制御部３４は、クローニング設定値ファイルを取得する要求である設定値ファイル取得要求を無線通信部３０を介しプリンタ２ａへ送信することによりクローニング設定値ファイルをプリンタ２ａから受信して設定値ファイル格納部４２へ格納し、ステップＳＰ３８へ移る。ステップＳＰ３８において制御部３４は、設定値ファイル格納部４２に格納したクローニング設定値ファイルを設定値ファイル処理部２０により設定値情報格納部３８へ反映させ、ステップＳＰ３９へ移る。
【００４０】
ステップＳＰ３９において制御部３４は、プリンタ２ａとの無線ＬＡＮの切断を無線通信部３０により行い、ステップＳＰ４０へ移る。ステップＳＰ４０において制御部３４は、プリンタ２ｂの再起動を行い、ステップＳＰ４２へ移りクローニング子モード処理手順ＲＴ３を終了する。
【００４１】
一方ステップＳＰ３１において否定結果が得られると、このことは、クローニング用ＳＳＩＤで動作している無線アクセスポイントが存在しないため、現在クローニング設定値ファイルを送信してもらうクローニング親機がプリンタ２ｂの周囲に存在しないことを表す。また、ステップＳＰ３２において否定結果が得られると、このことは、既に設定値情報格納部３８に設定値が格納されているため、クローニング設定値ファイルを取得する必要がないことを表す。また、ステップＳＰ３３において否定結果が得られると、このことは、ユーザーがクローニングを実行するつもりがないことを表す。このためステップＳＰ３１、ステップＳＰ３２又はステップＳＰ３３において否定結果が得られると、制御部３４はステップＳＰ４１へ移る。
【００４２】
ステップＳＰ４１において制御部３４は、プリンタ２ｂの起動を完了させ、表示部４４を通常状態のオンライン画面へ遷移させ、ステップＳＰ４２へ移りクローニング子モード処理手順ＲＴ３を終了する。
【００４３】
このようにクローニング子機であるプリンタ２ｂは、クローニング用ＳＳＩＤの無線アクセスポイントとして動作しているクローニング親機に無線接続し、該クローニング親機からＩＰアドレスを取得し、クローニング設定値ファイルを取得し、プリンタ２ｂの設定値として反映させるようにした。
【００４４】
［１−６．効果等］
以上の構成において画像形成システム１は、無線設定格納部１２に格納されたプリンタ２ａの接続先を示す情報で無線アクセスポイントとしてプリンタ２ａが動作し、プリンタ２ｂの無線設定格納部３２に格納されたプリンタ２ａの接続先を示す情報に基づきプリンタ２ｂがプリンタ２ａの無線通信部１０へ接続し、無線ネットワークＷＬＮにおける他の機器が使用していないＩＰアドレスをプリンタ２ａのＤＨＣＰサーバ／クライアント１６からプリンタ２ｂへ払い出すことによりプリンタ２ｂのＩＰアドレスとして設定し、プリンタ２ｂのＩＰアドレスへクローニング設定値ファイルをプリンタ２ａから送信し、プリンタ２ａから受信したクローニング設定値ファイルに基づきプリンタ２ｂの設定値を設定値情報格納部３８に格納することにより、プリンタ２ａの設定値をプリンタ２ｂへ反映させるようにした。
【００４５】
このため画像形成システム１は、プリンタ２ａとプリンタ２ｂ同士で１対１で無線接続を行いクローニング設定値ファイルをプリンタ２ａからプリンタ２ｂに送信してプリンタ２ｂに反映させるまでを自動的に行うことができる。これにより画像形成システム１は、他の情報処理装置等を使用せずに、プリンタ２のみで設定値をクローニングすることで、事前のネットワーク設定の手間を省くことができ、クローニングを容易に行うことができる。
【００４６】
また従来、ＵＳＢ（Universal Serial Bus）メモリ等の可搬型記憶媒体を介して設定元の装置からクローニング設定値ファイルをコピーして設定先の装置へ反映させるものもあるが、その場合、設定元の装置に可搬型記憶媒体を挿入して該可搬型記憶媒体にクローニング設定値ファイルをコピーして、設定先の装置に該可搬型記憶媒体を挿入して該可搬型記憶媒体から設定先の装置へクローニング設定値ファイルを反映させており、可搬型記憶媒体を操作したり持ち運んだりする手間がかかっていた。
【００４７】
これに対し画像形成システム１は、プリンタ２ａにおいてユーザーがクローニング親モードを実行し、プリンタ２ｂにおいてユーザーがクローニング子モードを実行するだけで、クローニング設定値ファイルをプリンタ２ａからプリンタ２ｂに送信してプリンタ２ｂに反映させるようにした。
【００４８】
これにより画像形成システム１は、設定元の装置に可搬型記憶媒体を挿入して該可搬型記憶媒体にクローニング設定値ファイルをコピーして、設定先の装置に該可搬型記憶媒体を挿入して該可搬型記憶媒体から設定先の装置へクローニング設定値ファイルを反映させるという手間を省くことができる。
【００４９】
また画像形成システム１は、プリンタ２ａとプリンタ２ｂとにより無線ネットワークＷＬＮを介して無線通信を行うようにした。これにより画像形成システム１は、プリンタ２ａとプリンタ２ｂとを有線ネットワークで接続し、プリンタ２ａとプリンタ２ｂとで有線通信を行う場合と比べて、プリンタ２ａとプリンタ２ｂとをケーブルで互いに接続する手間をなくすことができる。これは特に、プリンタ２ａをクローニング親機として、複数台のプリンタを次々にクローニング子機としてクローニングしていく場合は顕著に効果を奏する。
【００５０】
以上の構成によれば画像形成システム１は、同じネットワークである無線ネットワークＷＬＮに属しているクローニング親機としてのプリンタ２ａとクローニング子機としてのプリンタ２ｂとを設け、プリンタ２ａは、通信に関する設定としての無線通信用設定値が格納された無線設定格納部１２と、無線設定格納部１２に格納されている、プリンタ２ａの接続先を示す情報であるクローニング用ＳＳＩＤ及びセキュリティ設定に基づき無線通信部３０に接続され、プリンタ２ｂのアドレスであるＩＰアドレスへ、プリンタ２ａに設定されている印刷情報やシステム情報等の設定値に基づくクローニング設定値ファイルを送信する無線通信部１０とを設け、プリンタ２ｂは、通信に関する設定が格納された無線設定格納部３２と、無線設定格納部３２に格納されている、プリンタ２ａの接続先を示す情報に基づき無線通信部１０に接続し、プリンタ２ａからクローニング設定値ファイルを受信する無線通信部３０と、無線ネットワークＷＬＮにおける他の機器が使用していないＩＰアドレスをプリンタ２ｂのＩＰアドレスとして設定するＤＨＣＰサーバ／クライアント３６と、受信したクローニング設定値ファイルに基づきプリンタ２ｂの設定値を格納する設定値情報格納部３８とを設けるようにした。
【００５１】
これにより画像形成システム１は、プリンタ２ａとプリンタ２ｂとのネットワークの設定が事前に行われておらずプリンタ２ａとプリンタ２ｂとが通信できていない状態からでも、ユーザーの簡易的な操作に基づきプリンタ２ａからプリンタ２ｂへクローニングを行うことができ、ユーザーの手間を省くことができる。
【００５２】
［２．第２の実施の形態］
［２−１．画像形成システムの構成］
第２の実施の形態による画像形成システム１０１（図１）は、第１の実施の形態による画像形成システム１と比較して、プリンタ２ａ及び２ｂ（図２）に代わるプリンタ１０２ａ及び１０２ｂ（図１０）を有する点において相違するものの、他の点については同様に構成されている。
【００５３】
［２−２．プリンタの構成］
プリンタ２ａ及び２ｂと対応する機能に同一符号を付した図１０に示すように、第２の実施の形態によるプリンタ１０２ａ及び１０２ｂは、第１の実施の形態によるプリンタ１０２ａ及び１０２ｂ（図２）と比較して、制御部１４及び３４に代わる制御部１１４及び１３４を有し、ＤＨＣＰサーバ／クライアント１６及び３６に代わるＩＰアドレス設定部２８及び４８を有すると共に、無線設定値退避部２６及び４６が追加されている点において相違するものの、他の点については同様に構成されている。以下ではプリンタ１０２ａ及び１０２ｂをまとめてプリンタ１０２とも呼ぶ。プリンタ１０２ｂはプリンタ１０２ａとは同一の構成であるため、その説明は省略する。具体的にプリンタ１０２ｂにおける無線設定値退避部４６及びＩＰアドレス設定部４８は、プリンタ１０２ａにおける無線設定値退避部２６及びＩＰアドレス設定部２８と同様に構成されている。
【００５４】
無線設定値退避部２６は、クローニングを行う前の無線通信用設定値を、クローニングを行っている間、無線設定格納部１２から一時的に退避させて格納する。ＩＰアドレス設定部２８は、プリンタ１０２ａ自身のＩＰアドレスを格納すると共に、プリンタ１０２ｂから受信した、プリンタ２ｂのＩＰアドレスを格納する。
【００５５】
［２−３．プリンタ設定処理手順］
プリンタ１０２ａの制御部１１４は、ＲＯＭからプリンタ設定処理プログラムを読み出して実行することによりプリンタ設定処理手順ＲＴ１（図３）を開始し、第１の実施の形態において説明した処理を行う。
【００５６】
［２−４．クローニング親モード処理手順］
表示部２４へのユーザーの操作に基づきクローニング親モードが起動されるとプリンタ１０２ａの制御部１１４は、ＲＯＭからクローニング親モード処理プログラムを読み出して実行することにより、クローニング親モード処理手順ＲＴ２（図４）と対応するステップに同一符号を付した図１１に示すクローニング親モード処理手順ＲＴ１０２を開始する。クローニング親モード処理手順ＲＴ１０２はクローニング親モード処理手順ＲＴ２と比較して、ステップＳＰ１０１及びＳＰ１０４が追加されていると共に、ステップＳＰ１７に代えてステップＳＰ１０２及びＳＰ１０３が設けられている。
【００５７】
ステップＳＰ１１〜ＳＰ１５において制御部１１４は、クローニング親モード処理手順ＲＴ２（図４）と同様の処理を行い、ステップＳＰ１０１へ移る。ステップＳＰ１０１において制御部１１４は、無線設定格納部１２から現在の無線通信用設定値を読み出して無線設定値退避部２６へ退避させ、ステップＳＰ１５へ移る。
【００５８】
ステップＳＰ１５〜ＳＰ１６において制御部１１４は、クローニング親モード処理手順ＲＴ２（図４）と同様の処理を行い、ステップＳＰ１０２へ移る。ステップＳＰ１０２において制御部１１４は、クローニング子機からＩＰアドレス確認要求を受信すると、該ＩＰアドレス確認要求によって示される、プリンタ１０２ｂのＩＰアドレスの候補となるクローニング子機ＩＰアドレス候補が、ＩＰアドレス設定部２８に設定されたプリンタ１０２ａのＩＰアドレスであるクローニング親機ＩＰアドレスと同一であるか否かを確認し、クローニング子機ＩＰアドレス候補がクローニング親機ＩＰアドレス候補と同一であることを示すＩＰアドレス重複応答か、クローニング子機ＩＰアドレス候補がクローニング親機ＩＰアドレス候補と同一ではないことを示すＩＰアドレス非重複応答かの何れかを、クローニング子モードのプリンタ１０２ｂ（すなわちクローニング子機）へ無線通信部１０により送信する。制御部１１４は、クローニング子機ＩＰアドレス候補がクローニング親機ＩＰアドレスと同一でなくなるまで、プリンタ１０２ｂからＩＰアドレス確認応答を繰り返し受信し、クローニング子機ＩＰアドレス候補がクローニング親機ＩＰアドレス候補と同一でない、すなわち画像形成システム１０１内における複数のプリンタ１０２においてＩＰアドレスが重複していないことを確認すると、ステップＳＰ１０３へ移る。
【００５９】
ステップＳＰ１０３において制御部１１４は、クローニング子機ＩＰアドレス候補を、プリンタ１０２ｂのＩＰアドレスであるクローニング子機ＩＰアドレスとしてＩＰアドレス設定部２８に格納し、ステップＳＰ１８へ移る。ステップＳＰ１８〜ＳＰ２１において制御部１１４は、クローニング親モード処理手順ＲＴ２（図４）と同様の処理を行い、ステップＳＰ１０４へ移る。
【００６０】
ステップＳＰ１０４において制御部１１４は、無線設定値退避部２６へ退避させた無線通信用設定値を読み出して無線設定格納部１２へ格納し、ステップＳＰ２２へ移る。ステップＳＰ２２〜ＳＰ２５において制御部１１４は、クローニング親モード処理手順ＲＴ２（図４）と同様の処理を行う。
【００６１】
このようにプリンタ１０２ａは、クローニングを行う際にクローニング用ＳＳＩＤで簡易無線アクセスポイントを起動する前に、現在の無線通信用設定値を無線設定値退避部２６へ退避させると共に、簡易無線アクセスポイントを終了した後に、無線設定値退避部２６へ退避させた無線通信用設定値を読み出して無線設定格納部１２へ格納するようにした。これによりプリンタ１０２ａは、クローニングを行う前に例えばＰＣ（Personal Computer）等と、クローニング用ＳＳＩＤ以外のＳＳＩＤで無線接続状態になっていた場合、クローニングを行った後に、速やかに該ＰＣとの無線接続状態に復帰できる。
【００６２】
［２−５．クローニング子モード処理手順］
プリンタ１０２ｂの電源が投入されるとプリンタ１０２ｂの制御部１３４は、ＲＯＭからクローニング子モード処理プログラムを読み出して実行することにより、クローニング子モード処理手順ＲＴ３（図５）と対応するステップに同一符号を付した図１２に示すクローニング子モード処理手順ＲＴ１０３を開始する。クローニング子モード処理手順ＲＴ１０３はクローニング子モード処理手順ＲＴ３と比較して、ステップＳＰ３６に代えてステップＳＰ１１１、ＳＰ１１２、ＳＰ１１３及びＳＰ１１４が設けられている。
【００６３】
ステップＳＰ１１〜ＳＰ３５において制御部１３４は、クローニング子モード処理手順ＲＴ３（図５）と同様の処理を行い、ステップＳＰ１１１へ移る。ステップＳＰ１１１において制御部１３４は、例えば”１９２．１６８．０．０”等の所定のクローニング子機ＩＰアドレス候補を示すＩＰアドレス確認要求をクローニング親モードのプリンタ１０２ａ（すなわちクローニング親機）へ無線通信部３０により送信し、ステップＳＰ１１２へ移る。
【００６４】
ステップＳＰ１１２において制御部１３４は、ＩＰアドレス非重複応答をプリンタ１０２ａから受信したか否かを判定する。ここでＩＰアドレス重複応答を受信することにより否定結果が得られると、このことは、クローニング子機ＩＰアドレス候補がクローニング親機ＩＰアドレスと同一である、すなわち画像形成システム１０１内における複数のプリンタ１０２においてＩＰアドレスが重複しているため、現在のクローニング子機ＩＰアドレス候補はプリンタ１０２ｂには適用できないことを表し、このとき制御部１３４はステップＳＰ１１３へ移る。
【００６５】
ステップＳＰ１１３において制御部１３４は、現在のクローニング子機ＩＰアドレス候補の数値に例えば１を加算して新たなクローニング子機ＩＰアドレス候補とし、ステップＳＰ１１１へ戻る。制御部１３４は、プリンタ１０２ａからＩＰアドレス非重複応答を受信するまで、ステップＳＰ１１１〜ＳＰ１１３を繰り返し実行する。
【００６６】
一方ステップＳＰ１１２において肯定結果が得られると、このことは、クローニング子機ＩＰアドレス候補がクローニング親機ＩＰアドレスと同一でない、すなわち画像形成システム１０１内における複数のプリンタ１０２においてＩＰアドレスが重複していないことを表し、このとき制御部１３４はステップＳＰ１１４へ移る。
【００６７】
ステップＳＰ１１４において制御部１１４は、クローニング子機ＩＰアドレス候補を、プリンタ１０２ｂのＩＰアドレスであるクローニング子機ＩＰアドレスとしてＩＰアドレス設定部４８に格納し、ステップＳＰ３７へ移る。ステップＳＰ３７〜ＳＰ４２において制御部１３４は、クローニング子モード処理手順ＲＴ３（図５）と同様の処理を行う。
【００６８】
このようにプリンタ１０２ｂは、クローニングを行う際に、プリンタ１０２ｂのＩＰアドレスをプリンタ１０２ａから割り当ててもらうことなく、プリンタ１０２ａのＩＰアドレスと重複しているか否かを自発的にプリンタ１０２ａに問い合わせることにより、プリンタ１０２ｂで使用可能なＩＰアドレスをサーチし、重複しないＩＰアドレスを発見した場合、該ＩＰアドレスをプリンタ１０２ｂのＩＰアドレスとして設定するようにした。これによりプリンタ１０２ｂは、プリンタ１０２からＤＨＣＰサーバ／クライアント１６及び３６を省略しつつ、クローニング親機と同じネットワークである無線ネットワークＷＬＮに属した状態で、該無線ネットワークＷＬＮに属している他のプリンタであるプリンタ１０２ａが使用していないＩＰアドレスを設定して、プリンタ１０２ａからクローニング設定値ファイルを取得できる。
【００６９】
［３．他の実施の形態］
なお上述した第１の実施の形態においては、プリンタ２ａとプリンタ２ｂとにより無線ネットワークＷＬＮを介して無線通信を行う場合について述べた。本発明はこれに限らず、プリンタ２ａとプリンタ２ｂとを有線ネットワークで接続し、プリンタ２ａとプリンタ２ｂとで有線通信を行っても良い。その場合、プリンタ２ａとプリンタ２ｂとをＬＡＮケーブルで直接互いに接続すれば良い。要は本発明は、有線接続か無線接続かは限らずに、クローニング親機とクローニング子機とがＬＡＮで接続され、互いに同じネットワークに属していれば良い。
【００７０】
また上述した実施の形態においては、プリンタ設定処理手順ＲＴ１（図３）において、設定値情報格納部１８に格納された設定値からクローニング設定値ファイルに反映させる設定項目をユーザーに選択させても良い。
【００７１】
さらに上述した第１の実施の形態においては、クローニング親モード処理手順ＲＴ２（図４）において、プリンタ２ｂから設定値ファイル取得要求を受信すると、クローニング設定値ファイルをプリンタ２ｂへ送信する場合について述べた。本発明はこれに限らず、プリンタ２ｂから設定値ファイル取得要求を受信する前に、クローニング設定値ファイルをプリンタ２ｂへ送信しても良い。第２の実施の形態においても同様である。
【００７２】
さらに上述した第１の実施の形態においては、クローニング親モード処理手順ＲＴ２（図４）において、クローニングモードを終了させる場合、設定値ファイル格納部２２に格納されているクローニング設定値ファイルを削除する場合について述べた。本発明はこれに限らず、設定値ファイル格納部２２に格納されているクローニング設定値ファイルは削除しなくても良い。第２の実施の形態においても同様である。
【００７３】
さらに上述した第１の実施の形態においては、クローニング子モード処理手順ＲＴ３（図５）において、プリンタ２ｂの電源が投入されると、クローニング子モード処理を自動的に開始する場合について述べた。本発明はこれに限らず、プリンタ２ｂの電源が投入され、さらに、表示部４４へのユーザーの操作に基づきクローニング子モードが起動されると、クローニング子モード処理を開始しても良い。第２の実施の形態においても同様である。
【００７４】
さらに上述した第１の実施の形態においては、クローニング子モード処理手順ＲＴ３（図５）において、設定値情報格納部３８に既に設定値が格納されている場合、クローニング子モード処理を終了する場合について述べた。本発明はこれに限らず、設定値情報格納部３８に既に設定値が格納されていても、クローニングを行い、設定値を上書きしても良い。その場合、既に設定値が格納されているが設定値を上書きしても良いかということをユーザーに問い合わせても良い。第２の実施の形態においても同様である。
【００７５】
さらに上述した実施の形態においては、電子写真式のカラープリンタであるプリンタ２に本発明を適用する場合について述べた。本発明はこれに限らず、例えばいわゆる複合機であるＭＦＰ（Multi Function Peripheral）、コピー機、ファクシミリ機、家電等、無線通信を行う種々の装置に本発明を適用しても良い。
【００７６】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００７７】
さらに上述した実施の形態においては、クローニング親機としてのプリンタ２ａ又は１０２ａと、クローニング子機としてのプリンタ２ｂ又は１０２ｂとにより画像形成システムとしての画像形成システム１又は１０１を構成し、クローニング親機は、親機通信設定格納部としての無線設定格納部１２と、親機接続通信部としての無線通信部１０と、親機ファイル通信部としての無線通信部１０とを有し、クローニング子機は、子機通信設定格納部としての無線設定格納部３２と、子機接続通信部としての無線通信部３０と、アドレス設定部としてのＤＨＣＰサーバ／クライアント３６又はＩＰアドレス設定部４８と、子機ファイル通信部としての無線通信部３０と、設定値格納部としての設定値情報格納部３８とを有する場合について述べた。しかしながら本発明はこれに限らず、その他種々の構成でなる親機通信設定格納部と、親機接続通信部と、親機ファイル通信部とを有するクローニング親機と、子機通信設定格納部と、子機接続通信部と、アドレス設定部と、子機ファイル通信部と、設定値格納部とを有するクローニング子機とによって、画像形成システムを構成しても良い。
【００７８】
さらに上述した実施の形態においては、接続通信部としての無線通信部１０及び３０と、アドレス設定部としてのＤＨＣＰサーバ／クライアント１６又は３６並びにＩＰアドレス設定部２８又は４８と、ファイル通信部としての無線通信部１０及び３０と、設定値格納部としての設定値情報格納部３８とによって、画像形成装置としてのプリンタ２を構成する場合について述べた。本発明はこれに限らず、その他種々の構成でなる接続通信部と、アドレス設定部と、ファイル通信部と、設定値格納部とによって、画像形成装置を構成しても良い。
【産業上の利用可能性】
【００７９】
本発明は、プリンタに画像を印刷させるコンピュータの他、イメージスキャナやファクシミリ装置、或いは複写機等、画像に関する種々の処理を行う種々の電子機器でも利用できる。
【符号の説明】
【００８０】
２ａ、１０２ａ……プリンタ、２ｂ、１０２ｂ……プリンタ、ＷＬＮ……無線ネットワーク、１０……無線通信部、１２……無線設定格納部、１４、１１４……制御部、１６……ＤＨＣＰサーバ／クライアント、１８……設定値情報格納部、２０……設定値ファイル処理部、２２……設定値ファイル格納部、２４……表示部、２６……無線設定値退避部、２８……ＩＰアドレス設定部、３０……無線通信部、３２……無線設定格納部、３４、１３４……制御部、３６……ＤＨＣＰサーバ／クライアント、３８……設定値情報格納部、４０……設定値ファイル処理部、４２……設定値ファイル格納部、４４……表示部、４６……無線設定値退避部、４８……ＩＰアドレス設定部、ＳＣＳＳ……クローニング親モード起動画面、ＳＣＳＯ……クローニング親モード動作中画面、ＳＣＤＳ……クローニング子モード起動画面、ＳＣＤＯ……クローニング子モード動作中画面、ＢＴＹ１……ＹＥＳボタン、ＢＴＹ２……ＹＥＳボタン、ＢＴＮ１……ＮＯボタン、ＢＴＮ２……ＮＯボタン、ＢＴＮ３……ＮＯボタン、ＢＴＩ……中断ボタン、ＢＴＥ……終了ボタン。
【図１】
2019093603.tif 000003
【図２】
2019093603.tif 000004
【図３】
2019093603.tif 000005
【図４】
2019093603.tif 000006
【図５】
2019093603.tif 000007
【図６】
2019093603.tif 000008
【図７】
2019093603.tif 000009
【図８】
2019093603.tif 000010
【図９】
2019093603.tif 000011
【図１０】
2019093603.tif 000012
【図１１】
2019093603.tif 000013
【図１２】
2019093603.tif 000014